(57)【要約】 【課題】異なる表示画面に系統図を表示させる際に、系統図内でオブジェクトどうしの連結状態が変化しないように系統図を違和感なく表示させる。【解決手段】実施形態のプラント監視制御装置は、画面情報記憶部、系統図記憶部、画面情報取得部、連結検出部、変換部を備える。画面情報取得部は第１表示装置とは画面サイズが異なる第２表示装置の画面情報を取得する。連結検出部は系統図記憶部に記憶されている系統図に含まれる、非連結ではあるものの連結関係にあるオブジェクトを検出する。変換部は画面情報取得部により取得された第２表示装置の画面情報と、画面情報記憶部の第１表示装置の画面情報とから算出した互いの画面サイズの比率を基に、系統図記憶部に記憶されている系統図のオブジェクトの伸縮と位置の置換を行い、連結関係にあるオブジェクトに対しては変形可能なオブジェクトを変形して連結する。【選択図】図１
2016122322.tif 000002
【特許請求の範囲】
【請求項１】
既存の第１表示装置の画面サイズを含む画面情報が記憶された画面情報記憶部と、
前記第１表示装置に表示する、オブジェクトの基準座標とオブジェクト毎の変形可否情報とが含まれるプラント監視用の系統図が記憶された系統図記憶部と、
前記第１表示装置とは画面サイズが異なる第２表示装置の画面情報を取得する画面情報取得部と、
前記系統図記憶部に記憶されている系統図に含まれる、非連結ではあるものの連結関係にあるオブジェクトを検出する連結検出部と、
前記画面情報取得部により取得された前記第２表示装置の画面情報と、前記画面情報記憶部の前記第１表示装置の画面情報とから算出した互いの画面サイズの比率を基に、前記系統図記憶部に記憶されている系統図のオブジェクトの伸縮と位置の置換を行うことで第２表示装置の画面用の系統図を生成し、前記連結関係にあるオブジェクトに対しては変形可能なオブジェクトを変形して互いを連結する変換部と
を具備するプラント監視制御装置。
【請求項２】
前記変換部は、
前記第１表示装置の画面情報と前記第２表示装置の画面情報とで画面の基準点が異なる場合、画面の基準点の相違に応じて前記オブジェクトの位置を置換する請求項１記載のプラント監視制御装置。
【請求項３】
前記変換部は、
接続対象の表示装置の情報が入力または選択された場合、前記表示装置の画面サイズに適合するように前記系統図記憶部に記憶されたすべての系統図を一括変換する請求項１記載のプラント監視制御装置。
【請求項４】
プラント監視制御装置に接続されている第１表示装置の画面サイズを含む画面情報を記憶し、
前記第１表示装置に表示する、オブジェクトの基準座標とオブジェクト毎の変形可否情報とが含まれるプラント監視用の系統図を記憶し、
前記第１表示装置とは画面サイズが異なる第２表示装置の画面情報を取得し、
記憶している系統図に含まれる、非連結ではあるものの連結関係にあるオブジェクトを検出し、
取得した前記第２表示装置の画面情報と、前記第１表示装置の画面情報とから算出した互いの画面サイズの比率を基に、記憶している系統図のオブジェクトの伸縮と位置の置換を行ことで第２表示装置の画面用の系統図を生成し、前記連結関係にあるオブジェクトに対しては変形可能なオブジェクトを変形して連結するプラント監視制御装置における系統図変換方法。
【請求項５】
前記第１表示装置の画面情報と前記第２表示装置の画面情報とで画面の基準点が異なる場合、画面の基準点の相違に応じて前記オブジェクトの位置を置換する請求項４記載のプラント監視制御装置における系統図変換方法。
【請求項６】
接続対象の表示装置の情報が入力または選択された場合、前記表示装置の画面サイズに適合するように、記憶したすべての系統図を一括変換する請求項４記載のプラント監視制御装置における系統図変換方法。
【発明の詳細な説明】
【技術分野】
【０００１】
本発明の実施形態は、プラント監視制御装置およびその装置における系統図変換方法に関する。
【背景技術】
【０００２】
発電プラントや化学プラント等のプラントの監視を行うプラント監視装置では、プラント状態を判り易く監視するために、プラントの機器の配置や状態をオブジェクトで示した系統図を表示装置に表示し監視することが行われている。
【０００３】
一般的なプラント監視装置では、制御装置には、オブジェクト（直線・四角形・円等）や文字・数字を表示する表示装置が接続されており、描画する要素の種類によって、表示装置の基準点や大きさ・色等の情報をプラント監視用の計算機から制御装置に送信することにより、制御装置が表示装置にオブジェクトや文字を表示させ、これにより運転員はプラントの系統図とプラント状態（数値やＯＮ／ＯＦＦ等）を確認している。
【０００４】
しかしながら、近年では、従来と同じ形状や画素数の表示装置の製造・販売が行われなくなり、表示装置を交換または増設する場合に、従来とは異なる画面サイズや画素数の表示装置を制御装置に接続することになる。
【０００５】
このため、既に制御装置に蓄積されている表示装置の画面情報を新たな表示装置に適合する画面情報に変換した上で表示させる技術が公開されている。
【先行技術文献】
【特許文献】
【０００６】
【特許文献１】特開２０１４−５６１５７号公報
【発明の概要】
【発明が解決しようとする課題】
【０００７】
一般に、プラント監視装置は、複数台の表示装置により監視を行っており、表示装置のコスト面より汎用化が図られているが、画素数やアスペクト比等の仕様は汎用の表示装置の市場に大きく影響を受け、その結果、従来仕様の表示装置の入手が困難になってきており、プラント監視装置の全表示装置の一括更新と全系統図の再作成といった作業が生じてきた。
【０００８】
このため、旧新表示装置の画素数の比を個々のオブジェクトの描画の基点となる座標や各オブジェクトの長さ・半径等のパラメータに乗じて変換を実施する必要がある。
【０００９】
画面サイズの異なる表示装置への変換では、画面の画素数の比が整数でないことから、オブジェクトの座標を画素に割り当てる際に、本来連結して表示されるはずのオブジェクトが離れて表示されたり、重なって表示されることがある。
【００１０】
また、汎用の表示装置を採用するため、表示装置メーカのグラフィックカードや、表示用ドライバーソフト仕様に合った変換を行う必要がある。例えばメーカによって画面原点が表示画面の左下や左上などと相違することがあり、系統図を変換する上での問題となる。
【００１１】
本発明が解決しようとする課題は、異なる表示画面に系統図を表示させる際に、系統図内でオブジェクトどうしの連結状態が変化しないように系統図を違和感なく表示させることができるプラント監視制御装置およびその装置における系統図変換方法を提供することにある。
【課題を解決するための手段】
【００１２】
実施形態のプラント監視制御装置は、画面情報記憶部、系統図記憶部、画面情報取得部、連結検出部、変換部を備える。画面情報記憶部には既存の第１表示装置の画面サイズを含む画面情報が記憶されている。系統図記憶部には第１表示装置に表示する、オブジェクトの基準座標とオブジェクト毎の変形可否情報とが含まれるプラント監視用の系統図が記憶されている。画面情報取得部は第１表示装置とは画面サイズが異なる第２表示装置の画面情報を取得する。連結検出部は系統図記憶部に記憶されている系統図に含まれる、非連結ではあるものの連結関係にあるオブジェクトを検出する。変換部は画面情報取得部により取得された第２表示装置の画面情報と、画面情報記憶部の第１表示装置の画面情報とから算出した互いの画面サイズの比率を基に、系統図記憶部に記憶されている系統図のオブジェクトの伸縮と位置の置換を行うことで第２表示装置の画面用の系統図を生成し、連結関係にあるオブジェクトに対しては変形可能なオブジェクトを変形して連結する。
【図面の簡単な説明】
【００１３】
【図１】実施形態のプラント監視制御装置の構成を示す図である。
【図２】画面情報記憶部の内容の一例を示す図である。
【図３】第１表示装置の画面と第１系統図の一例を示す図である。
【図４】第１系統図を単純に縦横比に従って変換した場合の表示例を示す図である。
【図５】実施形態のプラント監視制御装置の系統図変換・出力動作を示すフローチャートである。
【図６】連結オブジェクト検出動作を示すフローチャートである。
【図７】連結調整動作を示すフローチャートである。
【図８】実施形態のプラント監視制御装置の系統図変換動作により表示される系統図を示す図である。
【発明を実施するための形態】
【００１４】
以下、図面を参照して、実施形態を詳細に説明する。
【００１５】
（実施形態）  
図１は一つの実施の形態に係るプラント監視装置の構成を示す図である。  
図１に示すように、このプラント監視装置２には、周辺機器として、例えばキーボード、マウスに代表される運転員や管理者が操作、入力を行う入力装置１と、ＣＲＴや液晶ディスプレイに代表される第１表示装置４１と、第１表示装置４１とは異なる画面サイズの第２表示装置４２とが接続されている。第１表示装置４１は既存の表示装置であり、既に系統図が第１系統図記憶部２３に記憶されているものとする。第２表示装置４２はプラント監視装置２に新たに接続される表示装置である。
【００１６】
このプラント監視装置２は、画面情報取得部２１、画面情報記憶部２２、第１系統図記憶部２３、連結検出部２４、連結情報記憶部２５、変換部２６、第２系統図記憶部２８、プラント状態取得部２９、プラント状態記憶部３０、表示制御部３１などを有する。
【００１７】
なお、この実施形態では、説明を分かり易くするために表示装置は新・旧各１台接続するものとしたが、第１表示装置４１および第２表示装置４２はそれぞれ複数台で構成してもよく、第２表示装置４２を仕様（画面サイズ）の異なる複数の表示装置で構成してもよい。
【００１８】
画面情報取得部２１は入力装置１から入力された画面の情報を取得し画面情報記憶部２２に記憶する。画面情報取得部２１は第１表示装置４１とは画面サイズが異なる第２表示装置４２の画面情報を取得する。
【００１９】
画面情報記憶部２２には、画面情報取得部２１によって取得された画面の情報が表示装置毎に記憶される。画面情報記憶部２２には、既に作成済みの既存の第１表示装置４１の画面サイズを含む画面情報と新たに取得された第２表示装置４２の画面サイズを含む画面情報が記憶される。
【００２０】
具体的には、例えば図２に示すように、表示装置の番号毎に、画面サイズ、画面原点などの情報が記憶される。この例の場合、第１表示装置４１は画面サイズがＸＧＡ（１０２４×７６８）サイズ、画面原点が左下である。第２表示装置４２は画面サイズがフルＨＤ（１９２０×１０８０）サイズ、画面原点が左上である。
【００２１】
第１系統図記憶部２３には第１表示装置４１にプラントの系統図を表示するための系統図のデータが記憶されている。すなわち第１系統図記憶部２３には第１表示装置４１に表示する、オブジェクトの基準座標とオブジェクト毎の変形可否情報とが含まれるプラント監視用の系統図が記憶されている。
【００２２】
系統図のデータとは、例えば配管を線、ポンプやバルブなどを図形、つまりオブジェクトとした系統配置図であり、動作に変化がある機器（ポンプやバルブなど）は動作の変化が視覚的に判るようにオブジェクトが変化する。
【００２３】
オブジェクトには、例えば種別、基点情報、高さ、幅、色、線種などの属性が付与されている。
【００２４】
オブジェクトが例えば四角などの図形の場合、種別：四角、基点情報：（Ｘ，Ｙ）、高さ：ｈ、幅：Ｗ、色：青、線種：実線などといった属性が付与される。またオブジェクトが線などの場合、基点情報：（Ｘ，Ｙ）、長さ：Ｌ、色：黒、線種：実線などといった属性が付与される。これら四角や線などのオブジェクトは、変形可能という属性が付与されている。
【００２５】
また丸などのオブジェクトは、縦横比を維持した伸縮は可能だが、縦横比を維持しない変形（惰円など変形）は不可という属性が付与されている。またバルブなどのキャラクタのオブジェクトも丸と同様の属性が付与されている。
【００２６】
連結検出部２４は系統図に含まれる各オブジェクトの連結状況を確認し、連結されているべきオブジェクトのうち数ドットといった微小な間隔が空いているような非連結のオブジェクトを検出しそのオブジェクトの情報を連結情報記憶部２５に記憶する。すなわち連結検出部２４は第１系統図記憶部２３に記憶されている第１系統図に含まれる、非連結ではあるものの連結関係にあるオブジェクトを検出する。
【００２７】
連結情報記憶部２５には、連結検出部２４により検出された非連結ではあるものの連結関係にあるオブジェクトの情報が記憶される。
【００２８】
変換部２６は入力装置１からの系統図変換の指示を受け付けて、第１系統図記憶部２３に記憶されている系統図を読み出して系統図を第２表示装置４２用に変換する。
【００２９】
具体的には、変換部２６は画面情報取得部２１により取得された第２表示装置４２の画面情報と、既存の画面情報記憶部２２の第１表示装置４１の画面情報とから算出した互いの画面サイズの比率を基に、第１系統図記憶部２３に記憶されている第１系統図のオブジェクトの伸縮と位置の置換を行うことで第２表示装置４２の画面用の第２系統図を生成する。
つまり変換部２６は第１系統図記憶部２３の系統図に含まれるオブジェクトを伸縮およびオブジェクトの基準座標を変換し第２系統図を生成し、第２系統図記憶部２８に記憶する。
【００３０】
変換部２６には連結調整部２７が設けられている。連結調整部２７は連結関係にあるオブジェクトに対して変形可能なオブジェクトの形状の微調整（伸縮）を行う。つまり連結調整部２７は連結関係にある複数のオブジェクトのうち変形可能なオブジェクトを変形してオブジェクトどうしを連結する。
【００３１】
また変換部２６は第１表示装置４１の画面情報と第２表示装置４２の画面情報とで画面の基準点が異なる場合、画面の基準点の相違に応じてオブジェクトの位置を置換する。
【００３２】
変換部２６は接続対象の表示装置の情報が入力または選択された場合、表示装置の画面サイズに適合するように第１系統図記憶部２３に記憶されたすべての系統図を、接続対象の表示装置の画面用に一括して変換する。
【００３３】
第２系統図記憶部２８には変換部２６により第２表示装置４２用に変換された第２系統図のデータが記憶される。
【００３４】
プラント状態取得部２９は例えば開閉バルブやポンプなどのプラント機器１００の動作状態に応じた検出信号を取得し、検出信号に応じたプラント機器１００の動作状態を記憶する。
【００３５】
プラント状態記憶部３０にはプラント状態取得部２９により取得されたプラント機器の動作状態が記憶される。動作状態とは例えば開閉バルブであれば「開」、「閉」などの状態である。
【００３６】
表示制御部３１は入力装置１から系統図の出力が指示されることにより、各系統図記億部２３、２８の系統図と画面情報記憶部２２の画面情報を読み出して、この装置に接続されている第１表示装置４１、第２表示装置４２それぞれに対して、対応する系統図を出力する。また表示制御部３１はプラント状態記憶部３０のプラント機器の動作状態に変化があった場合、表示している系統図の該当するオブジェクトを変化させる。
【００３７】
ここで、図３、図４を参照して画面と系統図について説明する。  
図３は第１表示装置４１の画面の一例であり、画面サイズがＸＧＡ（１０２４×７８０）サイズで画面基点が左上であり、この画面情報を基に系統図が作成されているものとする。
【００３８】
系統図には、円のオブジェクトＩ、線のオブジェクトＪ、矩形のオブジェクトＫが描画されているものとする。円のオブジェクトＩの基準座標はＸ１、Ｙ１、終端座標はＸＩＥ、ＹＩＥである。線のオブジェクトＪの基準座標はＸ２、Ｙ２、矩形のオブジェクトＫの基準座標はＸ３、Ｙ３である。
【００３９】
円のオブジェクトＩと線のオブジェクトＪとは横方向で連結関係にあり、円のオブジェクトＩと矩形のオブジェクトＫは連結関係にはないものとする。なお連結関係とはデータの座標上は連結されていないが、画面上は連結されているように見えるもの、つまりオブジェクト間に微少な間隔があるものとする。
【００４０】
詳細に説明すると、系統図のオブジェクトの座標データとオブジェクトを表示装置の画面に配置する際の画素数とでは微少なずれがあり、１画素か２画素分オブジェクトの位置がずれることがあり、これがオブジェクト間の連結状態に影響を及ぼし、画面上連結して見えるオブジェクトが座標データ上は離れていたり、重なっていることがある。
【００４１】
このように画面上はオブジェクトどうしが連結して見えるものの系統図のデータ上はオブジェクトどうしの端点が数ドットの差でずれて不一致になっている状態を「連結関係にある」といい、オブジェクトどうしの端点が系統図のデータ上一致している状態を「連結」という。オブジェクトどうしの端点が数ドット以上離れていたり、重なっているものを「連結関係にない」という。
【００４２】
この第１表示装置４１の画面に表示される系統図を、第２表示装置４２の画面に表示するように変換するときの例を説明する。
【００４３】
出力先の第２表示装置４２は画面サイズがフルＨＤ（１９２０×１０８０）サイズであり、画面基点が左下である。この画面に合うように既存の系統図を変換するものとする。
【００４４】
画面の縦横比だけで単純に系統図を変換した場合、図４に示すように、元の画面からすると、各オブジェクトは拡大され、横比率が高いことから円のオブジェクトＩは楕円になり、連結関係にある円のオブジェクトＩと線のオブジェクトＪとは元のデータにあった隙間Ｈがさらに拡大して隙間Ｈ’となり、画面上からも離れてみえるようなる。また画面の基準点である基準座標のうちＹ座標が元の基準座標と異なることから、オブジェクトの配置が上下反転したようになる。
【００４５】
次に、図５乃至図８を参照してこの実施形態のプラント監視装置２の動作を説明する。
このプラント監視装置２では、既に既存の第１表示装置４１がプラント監視装置２に接続されており、第２表示装置４２を追加接続するとき、また古い表示装置を新たな第２表示装置４２に交換して接続するとき、ユーザ権限に応じて系統図の変換を行う第１の方法と、ユーザ権限によらず系統図をその都度変換して出力する第２の方法がある。
【００４６】
まず、第１の方法を説明する。  
この方法では、管理者（上位権限を持つ利用者）と運転員（ユーザとしての権限を持つ利用者）をプラント監視装置２に設定しておく。
【００４７】
管理者は、入力装置１と第１表示装置４１を使用し、第１表示装置４１に表示装置情報設定画面（図２と同等のもの）を表示して、第２表示装置４２の画面情報を入力および設定し、変換対象の系統図のファイル名またはフォルダ名などを指定した後、表示装置情報設定画面内に設けられている変換指示ボタンの操作をする。
【００４８】
これにより、変換指示のコマンドが変換部２６へ送られて、変換部２６にて、変換指示されたファイル名またはフォルダ名の系統図または系統図の群が第２表示装置４２用に変換されて第２系統図記憶部２８に記憶される。
【００４９】
以降、運転員が入力装置１と第１表示装置４１または第２表示装置４２を用いて第１表示装置４１・第２表示装置４２に系統図の表示操作を行うと、その操作に対する指示のコマンドは表示制御部３１に送られる。表示制御部３１は出力対象の表示装置の画面情報および出力対象の系統図のデータを読み出して、該当する表示装置番号の表示装置（第１表示装置４１または第２表示装置４２）へ出力する。
【００５０】
次に、図５のフローチャートを参照して第２の方法を説明する。  
この場合、出力対象の表示装置が指定されると（図５のステップＳ１０１）、変換部２６は出力対象の表示装置が第１表示装置４１か否かを判定する（ステップＳ１０２）。
【００５１】
この判定の結果、出力対象の表示装置が既存の第１表示装置４１でなければ（ステップＳ１０２のＮＯ）、変換部２６は出力対象の表示装置が他の表示装置（この例では第２表示装置４２）であるものとする。
【００５２】
続いて、変換部２６は第２表示装置４２用に系統図が変換済か否かを判定する（ステップＳ１０３）。この判定には第２系統図記憶部２８の実際の系統図のデータの有無を確認してもよく、変換管理ファイルを参照して変換済か否かを判定してもよい。
【００５３】
変換済か否かの判定の結果、第２表示装置４２用に系統図が変換済みでない場合（ステップＳ１０３のＮＯ）、第２表示装置４２用に系統図のデータを変換する必要があるため、変換部２６はその旨を連結検出部２４に通知すると共に、画面情報記憶部２２を参照して該当する表示装置番号の画面情報を取り込む（ステップＳ１０４）。
また連結検出部２４は変換部２６からの変換の通知により、第１系統図記憶部２３を参照して出力対象の系統図のデータを取り込む（ステップＳ１０４）。
【００５４】
続いて、連結検出部２４は取り込んだ系統図のデータの中のオブジェクトどうしの連結状態を判定（確認）し（ステップＳ１０５）、オブジェクトどうしの連結状態を連結情報記憶部２５に記憶する。なお、この際、連結状態が不完全なオブジェクトの情報だけを連結情報記憶部２５に記憶してもよい。
【００５５】
オブジェクトどうしの連結状態の判定が終了すると、変換部２６は連結情報記憶部２５に記憶されているオブジェクトの連結情報を読み出し、画面情報に基づいて系統図を伸縮およびオブジェクトを置換し（ステップＳ１０６）、第２系統図記憶部２８に記憶する。  オブジェクトの置換は、オブジェクトの基準座標の変換と変形可能なオブジェクトについての伸縮である。この例では、４：３の画面を１６：９の画面に変換するため、伸縮されるオブジェクトは横方向に伸びた状態になる。
【００５６】
変換により第２系統図が生成されると、表示制御部３１は、プラント状態記憶部３０から現在のプラント状態を読み出し、また出力対象の第２系統図を第２系統図記憶部２８から読み出し、プラント状態に応じたオブジェクトに変更した系統図を作成し（ステップＳ１０７）、作成した系統図を出力対象の表示装置である第２表示装置４２へ出力する（ステップＳ１０８）。
【００５７】
一方、ステップＳ１０２の判定処理の際に、出力対象の表示装置が第１表示装置４１であれば（ステップＳ１０２のＹＥＳ）、既に系統図は記憶されているため、表示制御部３１は、出力対象の第１系統図を第１系統図記憶部２３から読み出し（ステップＳ１０９）、プラント状態に応じたオブジェクトに変更した系統図を作成し（ステップＳ１０７）、作成した系統図を出力対象の表示装置である第１表示装置４１へ出力する（ステップＳ１０８）。
【００５８】
ここで、図６のフローチャートを参照して上記ステップＳ１０５のオブジェクト間の連結状態判定処理について詳細に説明する。特に非連結オブジェクトの検出動作を説明する。
【００５９】
連結検出部２４は、第１系統図記憶部２３の第１系統図のデータを読み込み（図６のステップＳ２０１）、第１系統図に含まれるオブジェクトのデータの中から一つを抽出する（ステップＳ２０２）。抽出した一つのオブジェクトが例えば円のオブジェクトＩとする。
【００６０】
連結検出部２４は、まず、抽出したオブジェクトＩのデータ（種別、基点情報、高さ、幅、色、線種などの属性）を基にオブジェクトＩの終端座標ＸＩＥを計算する（ステップＳ２０３）。
【００６１】
続いて連結検出部２４は、次のオブジェクト、例えばオブジェクトＪのデータを抽出し（ステップＳ２０４）、抽出したオブジェクトＪのデータ（種別、基点情報、高さ、幅、色、線種などの属性）を基にオブジェクトＪの終端座標ＸＪＥを計算する（ステップＳ２０５）。
【００６２】
上記２つのオブジェクトの終端座標（オブジェクトＩの終端座標ＸＩＥとオブジェクトＪの終端座標ＸＪＥ）を計算すると、連結検出部２４は、オブジェクトＩの終端座標ＸＩＥがオブジェクトＪの横軸基準座標ＸＪと一致または重なるかどうかを判定し（ステップＳ２０６）、オブジェクトＩの終端座標ＸＩＥがオブジェクトＪの横軸基準座標ＸＪと一致または重なった場合（ステップＳ２０６のＹＥＳ）、オブジェクトＪをオブジェクトＩの横連結として互いが横連結する旨の情報を連結情報記憶部２５に記憶する（ステップＳ２０７）。  
また上記判定の結果、オブジェクトＩの終端座標ＸＩＥとオブジェクトＪの横軸基準座標ＸＪとが一致または重ならなかった場合（ステップＳ２０６のＮＯ）、連結検出部２４は、オブジェクトＪの横軸基準座標ＸＪに１を加えて互いのオブジェクトの一致または重なりの判定を２までの加算範囲で行う（ステップＳ２０６、ステップＳ２０８、ステップＳ２０９）。そして３を加算しても一致または重ならない場合は（ステップＳ２０９のＮＯ）、互いのオブジェクトの関係を非連結と判定する。
【００６３】
横連結の判定の後、連結検出部２４は、縦軸方向についても横軸と同様に判定し（ステップＳ２１０〜Ｓ２１２）、縦連結する場合は（ステップＳ２１０のＹＥＳ）、互いのオブジェクトが縦連結する旨の情報を連結情報記憶部２５に記憶する（ステップＳ２１３）。  
なおオブジェクトの連結関係を非連結とするか否かの判定の基準となる閾値は３に限定されるものではなく、元の図面から変換する図面の伸縮率（特に拡大率）に依存する。元の図面から２倍に拡大する場合は元のオブジェクト間の隙間が２ドットの場合、最大４ドット程度に拡大する可能性があるため、４としてもよい。
【００６４】
次に、図７のフローチャートを参照して連結関係にあるオブジェクトの連結調整動作について詳細に説明する。
【００６５】
変換部２６では、連結調整部２７は、連結関係にあるオブジェクトＩ，Ｊのデータを読み出し（図７のステップＳ３０１）、オブジェクト間の連結関係を確認する（ステップＳ３０２）。
【００６６】
この確認の結果、オブジェクト間の連結関係が横連結の場合（ステップＳ３０２のＹＥＳ）、連結調整部２７は、オブジェクトのうち変形可能なオブジェクト、ここではオブジェクトＪの横軸終端座標ＸＡを計算する（ステップＳ３０３）。
【００６７】
続いて、連結調整部２７は、オブジェクトＩの横座標（Ｘ）とオブジェクトＪのＸＡは、一致（連結）しているか（ＸＡ＝Ｘ）、または隙間が２ドット以内で近接している（連結関係）か（ＸＡ＜Ｘ≦ＸＡ＋２）を確認する（ステップＳ３０４）。
【００６８】
この確認の結果、オブジェクトが連結関係にある場合（ステップＳ３０４の連結関係）、連結調整部２７は、変形可能なオブジェクトＪの横座標ＸＡをオブジェクトＩの方向へ１ドット延長（ＸＡ＝ＸＡ＋１）し（ステップＳ３０５）、ステップＳ３０４の判定処理から繰り返す。
【００６９】
一方、上記確認の結果、オブジェクト間の連結関係が縦連結の場合（ステップＳ３０２のＮＯ）、連結調整部２７は、オブジェクトのうち変形可能なオブジェクト、ここではオブジェクトＪの縦軸終端座標ＹＡを計算する（ステップＳ３０６）。
【００７０】
続いて、連結調整部２７は、オブジェクトＩの縦座標（Ｙ）とオブジェクトＪのＹＡは、一致（連結）しているか（ＹＡ＝Ｙ）、または隙間が２ドット以内で近接している（連結関係）か（ＹＡ＜Ｙ≦ＹＡ＋２）を確認する（ステップＳ３０７）。
【００７１】
この確認の結果、オブジェクトが連結関係にある場合（ステップＳ３０７の連結関係）、連結調整部２７は、変形可能なオブジェクトＪの縦座標ＹＡをオブジェクトＩの方向へ１ドット延長（ＹＡ＝ＹＡ＋１）する（ステップＳ３０８）。
【００７２】
このようにこの実施形態のプラント監視装置２によれば、図８に示すように、第１表示装置４１の画面に表示される第１系統図を第２表示装置４２の画面に表示される第２系統図に変換する際に、第１系統図に含まれるオブジェクトのうちオブジェクト間に微小な隙間があるオブジェクトＩ、Ｊ（非連結ではあるものの連結関係にあるオブジェクト）を検出し、第１表示装置４１と第２表示装置４２との画面サイズの比率と画面原点を基に、第１系統図のオブジェクトの伸縮と位置の置換を行うことで第２表示装置４２の画面用の第２系統図を生成し、この際、連結関係にあるオブジェクトＩ、Ｊに対しては互いの隙間を埋めるように変形可能なオブジェクトＪを変形して座標Ｐの位置で連結するので、変更または追加する第２表示装置４２の画素数や仕様によらず、従来と同等のオブジェクト間の隙間や重複が無い系統図を表示させることができ、画面を変更しても違和感のない監視を行うことができ、表示装置の追加および変更などといった今後の保守運用が容易なプラント監視装置２を提供することができる。
【００７３】
また、第２表示装置４２の追加および変更にあたり、管理者はコスト面や画面サイズなど、管理の優先条件に適した表示装置を導入することができる。
【００７４】
すなわちこの実施形態によれば、異なる表示画面に系統図を表示させる際に、単なる縦横比の変換だけでなく連結関係にあるオブジェクトを変形して連結するので、系統図の変換によってオブジェクトどうしの連結状態が変化しないように系統図を違和感なく表示させることができる。
【００７５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００７７】
１…入力装置、２…プラント監視装置、２１…画面情報取得部、２２…画面情報記憶部、２３…第１系統図記憶部、２４…連結検出部、２５…連結情報記憶部、２６…変換部、２７…連結調整部、２８…第２系統図記憶部、２９…プラント状態取得部、３０…プラント状態記憶部、３１…表示制御部、４１…第１表示装置、４２…第２表示装置、１００…プラント機器。
【図１】
2016122322.tif 000003
【図２】
2016122322.tif 000004
【図３】
2016122322.tif 000005
【図４】
2016122322.tif 000006
【図５】
2016122322.tif 000007
【図６】
2016122322.tif 000008
【図７】
2016122322.tif 000009
【図８】
2016122322.tif 000010